(57)【要約】【課題】    帽子装着時に帽子から食み出す発毛頭皮部分を覆うことが可能な風により頭皮が見えることのない後頭部分、耳付け根上部分、もみあげ部分を覆うことのできる部分かつらを提供する。【解決手段】    帽子装着時に帽子に接する頭皮部分と後頭部分と耳付け根上部分ともみあげ部分からなる下地２に固定弾性素材を設けた部分かつら１により、この課題を解決する。【選択図】  図１
2006348447.tif 000002
【特許請求の範囲】
【請求項１】
帽子装着時に帽子が頭部に接する部分と帽子から食み出す発毛頭皮部分とからなり、頭部に装着するための固定用素材と帽子に装着するための固定用部材を設けたことを特徴とする部分かつら。
【発明の詳細な説明】
【技術分野】
【０００１】  本発明は帽子装着時に帽子では覆うことのできない主に後頭部分と耳付け根の上部分ともみあげ部分の毛髪を補完する着脱可能で頭部または帽子に固定するかつらに関するものである。
【背景技術】
【０００２】  従来の帽子に着脱するかつらは、帽子に固定した部材から髪を垂らしていた。この例として特許文献１に開示されているものがある。
【特許文献１】  特開２０００−３２８３３９号公報
【発明の開示】
【発明が解決しようとする課題】
【０００３】  しかしながら、従来のような髪を垂らしたかつらでは風が吹いた場合に髪に覆われていた下の頭皮部分が見えてしまい、またもみあげ部分の頭皮も同様に見えてしまい、帽子を浅く装着した場合に耳の上の頭皮部分を補えないという問題点があった。【０００４】  上記特許文献１においても、後頭部に布を当てているが、風が吹いた場合に布ごとめくれる可能性があり、図２（ａ）ももみあげ部分が不自然である。
【課題を解決するための手段】
【０００５】  この課題を解決するための請求項１の発明は、帽子を装着した場合に帽子で覆うことのできない後頭部分、耳付け根の上部分、もみあげ部分と帽子を固定するための帽子と頭の接触部分（帽子のサイズリボンに相当）からなる部分かつらである。上記の頭皮部分を弾性のある素材で頭部の接触部分に挟むようにして頭部に装着できる。また、帽子に直接かつらを固定して頭部に装着できる。
【発明の効果】
【０００６】  本発明により、帽子装着時に、後頭部分、耳付け根上の部分、もみあげ部分がかつらで覆われ、風に強く多種類の髪型と髪色を可能にし、様々な種類の帽子装着を可能にする。
【発明を実施するための最良の形態】
【０００７】  図１は帽子装着時に帽子と頭部が接する部分と帽子から食み出す発毛頭皮部分を下地２とし、下地２に植毛した部分かつら１の斜視図である。かつらの毛髪３は各かつらにおいて髪型や髪色を自由に組み合わせて設けることができるので、自毛と頭皮を傷めることなく自由に髪型や髪色を楽しむことができる。【０００８】  図２ａ、図２ｂ、図２ｃはニット帽子等、伸縮性のある帽子と部分かつら１を装着する際の順次図である。【０００９】  図２ａは弾性固定素材として下地２の端に針金４を組み込んでいる部分かつら１で頭部に装着する前に図１の部分かつら１を広げている状態である。下地２の後頭部分にはかつら装着後の頭の上下運動を想定して後頭部頭皮の伸縮運動が大きい部分に針金４を複数箇所内側に入れている。【００１０】  図２ｂは針金４の弾性を利用して頭部に部分かつら１を装着した状態である。【００１１】  図２ｃは図２ｂの状態にニット帽子５を被った状態である。ニット帽子５と本発明の部分かつら１を組み合わせることにより、必要の範囲で部分かつら１を利用しているのでかつらの材料費用負担を最低限にし、帽子の内側が蒸れるのを最小限にできる。部分かつら１は後頭部分、耳付け根上の部分、もみあげ部分の頭皮を覆っているので、従来の髪を垂らすかつらでは不可能だった短髪を表現できる。また、図２ａの部分かつら１の下地２の両端を図２ｂの額上に接するまで伸ばしたかつらを作成し前髪を表現することが可能になる。なお、図２ｃはニット帽子５を更に深く被っても問題はない。【００１２】  図３ａ、図３ｂ、図３ｃはキャップ型帽子８と部分かつら１を装着する際の装着順次図である。【００１３】  図３ａはキャップ型帽子８の後部に穴があるので、この部分の頭皮を補完するため後頭部分、耳付け根の上部分、もみあげ部分の髪型と髪色と統一する下地２の型にした部分かつら６で頭部に装着する前、またはキャップ型帽子８に直接固定する前に広げている状態である。【００１４】  図３ｂは図２ｂと同様に直接頭部に帽子を装着し、図２ｃのようにキャップ型帽子８を被せてもよいが、一般にキャップ型帽子８は伸縮性のある帽子ではないのでより安定するように、先にキャップ型帽子８のサイズリボン９を利用してクリップ７でサイズリボン９の上端と部分かつら６の上端を複数箇所で固定している状態である。【００１５】  図３ｃは図３ｂのキャップ型帽子８と部分かつら６を頭部に被せた状態である。後頭部分、耳付け根の上部分、もみあげ部分、キャップ型帽子８後部の穴の頭皮部分の髪型と髪色が統一されており自然な外観が可能になる。【００１６】  図４ａ、図４ｂ、図４ｃはキャップ型帽子８を図３ｃとは前後逆に装着する際の順次図である。【００１７】  図４ａは図２ａの部分かつら１とキャップ型帽子８を前後逆に装着する際に、頭部の前にキャップ型帽子８の穴が位置するので、前頭部額上の発毛頭皮部分をかつらの髪型と髪色と統一するための部分かつら１０である。上記部分かつら１０の左右両端には前頭部額の発毛頭皮部分を上下に調節するための調節棒１２を通すための筒１１が設けられている。調節棒１２の先端にキャップ型帽子８のサイズリボン９に固定するためのクリップが設けられている。【００１８】  図４ｂは前頭部額上の発毛頭皮部分の部分かつら１０をキャップ型帽子８の穴にキャップ型帽子８のサイズリボン９の上端に調節棒１２のクリップを固定している状態である。キャップ型帽子８前部には図１の部分かつら１を装着する。【００１９】  図４ｃは図４ｂの状態のキャップ型帽子８と図１のかつらを頭部に装着した状態である。後頭部分、耳付け根の上部分、もみあげ部分、キャップ型帽子８の後部の穴の頭皮部分の髪型と髪色が統一されており自然な外観が可能になる。また、前頭部額の部分かつら１０は調節棒１２により自由に額の広さを調節できる。【００２０】  またキャップ型帽子８には、図４ａの部分かつら１０と部分かつら１を用いてキャップ型帽子８を斜めや横に被る場合にも対応できる。【００２１】  図１の部分かつら１はハット型帽子にも利用できる。ハット型帽子にあるサイズリボンとクリップの固定を利用して頭部に装着することにより、後頭部分、耳付け根の上部分、もみあげ部分の髪型と髪色を統一した自然な外観が可能になる。
【図面の簡単な説明】
【００２２】
【図１】  本発明の部分かつら１の斜視図である。
【図２ａ】  頭部装着前に部分かつら１を広げている図である。
【図２ｂ】  頭部に部分かつら１を装着している図である。
【図２ｃ】  部分かつら１の上にニット帽子５を装着している図である。
【図３ａ】  頭部装着前にキャップ型帽子用８の部分かつら１を広げている図である。
【図３ｂ】  キャップ型帽子８に部分かつら６を装着している図である。
【図３ｃ】  頭部にキャップ型帽子８と部分かつら６を装着している図である。
【図４ａ】  キャップ型帽子８を前後逆に装着するための部分かつら１０の図である。
【図４ｂ】  キャップ型帽子８に部分かつら１０を装着している図である。
【図４ｃ】  頭部にキャップ型帽子８と部分かつら１と部分かつら１０を装着した図である。
【符号の説明】
【００２３】  １・・・部分かつら
２・・・下地
３・・・毛髪
４・・・針金
５・・・ニット帽子
６・・・キャップ型帽子に対応した部分かつら
７・・・クリップ
８・・・キャップ型帽子
９・・・サイズリボン
１０・・・キャップ型帽子を前後逆に装着するのに対応した部分かつら
１１・・・筒
１２・・・調節棒
【図１】
2006348447.tif 000003
【図２ａ】
2006348447.tif 000004
【図２ｂ】
2006348447.tif 000005
【図２ｃ】
2006348447.tif 000006
【図３ａ】
2006348447.tif 000007
【図３ｂ】
2006348447.tif 000008
【図３ｃ】
2006348447.tif 000009
【図４ａ】
2006348447.tif 000010
【図４ｂ】
2006348447.tif 000011
【図４ｃ】
2006348447.tif 000012